(57)【要約】【課題】ポットの有効容積／全容積の比率の最適化。【解決手段】本発明のポットは、沸騰時に蒸気管路（１０）内への水の浸入を防ぐための、プラスチック材料で製作され、流入口（１１）の下に延びる隔壁（２１）を有する保護装置（２０）を備え、隔壁（２１）は、流入口（１１）の下の内面（９）から内面（９）と離隔しつつ下方に延びる第１の部位（２２）であって、内面（９）に接近しつつ下方に延びて内面（９）と合流する第２の部位（２３）をもって延伸する第１の部位（２２）を内面（９）に対し横断方向の鉛直断面内に有し、第２の部位（２３）は、鉛直方向に沿って上向する水と蒸気の流れに対し横断方向に延びて鉛直方向との間に８０°未満、好ましくは４５°未満の角度αを形成し、本体部（３）は流入口（１１）レベルに周囲Ｐの横断面を有し、隔壁（２１）は周囲Ｐの少なくとも５％、好ましくは少なくとも１０％にわたり流入口（１１）の両側に延びる。【選択図】図１
2018042995.tif 000002
【特許請求の範囲】
【請求項１】
電気加熱底部（８）の上に配設された本体部（３）と、沸騰時に発生する蒸気を蒸気検出センサの方へ運ぶための蒸気管路（１０）とを備え、前記蒸気管路（１０）が、前記本体部（３）の内面（９）の上部に配設された流入口（１１）を前記本体部の給水最高水位の上に備えるポット（１）であって、沸騰時の蒸気管路（１０）内への水の浸入を防止するための、プラスチック材料で製作された、前記流入口（１１）の下に延びる隔壁（２１）を有する保護装置（２０）を備えるポット（１）において、
前記隔壁（２１）は、前記流入口（１１）の下の前記内面（９）から前記内面（９）と離隔しながら下方に延びる第１の部位（２２）であって、前記内面（９）に接近しながら下方に延びて前記内面（９）と合流する第２の部位（２３）をもって延伸する第１の部位（２２）を前記内面（９）に対して横断方向の鉛直断面内に有しており、前記第２の部位（２３）は、鉛直方向に沿って上向する水および蒸気の流れに対して横断方向に延びて前記鉛直方向との間に８０°未満、好ましくは４５°未満の角度αを形成すること、および、前記本体部（３）は前記流入口（１１）レベルに周囲Ｐの横断面を有しており、前記隔壁（２１）は前記周囲Ｐの少なくとも５％、好ましくは前記周囲Ｐの少なくとも１０％にわたって前記流入口（１１）の両側に延びることを特徴とするポット（１）。
【請求項２】
前記本体部（３）は半径Ｒ、周囲Ｐの円形横断面を有しており、前記隔壁（２１）は２つの半径線分Ｒ１、Ｒ２によって形成される角度βの角領域に内接し、前記流入口（１１）は角領域βの中央付近に配設されることを特徴とする、請求項１に記載のポット（１）。
【請求項３】
前記第２の部位（２３）は前記内面（９）に対して横断方向の鉛直断面内を径方向に半径Ｒの５％超、好ましくは半径Ｒの１０％超の距離Ｄにわたって延びることを特徴とする、請求項２に記載のポット（１）。
【請求項４】
前記隔壁（２１）は前記内面（９）に対して横断方向の鉛直断面内に所定の高さを有しており、前記所定の高さが前記本体部（３）の高さの１５％超であることを特徴とする、請求項１〜３のいずれか一項に記載のポット（１）。
【請求項５】
前記隔壁（２１）は前記内面（９）に対して横断方向の鉛直断面内に前記流入口（１１）の両側で一定の断面積を有することを特徴とする、請求項１〜４のいずれか一項に記載のポット（１）。
【請求項６】
前記隔壁（２１）および前記内面（９）は互いの間に、前記隔壁（２１）の２つの側端（２６、２７）に位置する２つの開口などから水が入り込むことができる空間Ｖを画定することを特徴とする、請求項１〜５のいずれか一項に記載のポット（１）。
【請求項７】
前記第１の部位（２２）と前記第２の部位（２３）が勾配の急変部を形成する接続ゾーン（２５）を備えることを特徴とする、請求項１〜６のいずれか一項に記載のポット（１）。
【請求項８】
前記第２の部位（２２）は、前記本体部（３）に実体化された補給最高水位よりも下の水平面に含まれる直線（２４）から下方に延びることを特徴とする、請求項１〜７のいずれか一項に記載のポット（１）。
【請求項９】
前記内面（９）の上部は鉛直断面内に有利にはＵ字形の溝（１４）を有し、前記流入口（１１）は前記溝（１４）の中に配設されることを特徴とする、請求項１〜８のいずれか一項に記載のポット（１）。
【請求項１０】
前記保護装置（２０）は前記蒸気管路（１０）の先端部位（３０）を備えること、および前記蒸気管路（１０）は前記第１の部位（２２）に沿って延びることを特徴とする、請求項１〜９のいずれか一項に記載のポット（１）。
【請求項１１】
前記保護装置（２０）は前記内面（９）に付加されたモジュールからなることを特徴とする、請求項１〜１０のいずれか一項に記載のポット（１）。
【請求項１２】
前記流入口（１１）と径方向反対側となるように配設された注ぎ口（５）を備えること、および前記隔壁（２１）は沸騰時に水および蒸気の上向流を前記注ぎ口（５）の方に偏向させることを特徴とする、請求項１〜１１のいずれか一項に記載のポット（１）。
【発明の詳細な説明】
【技術分野】
【０００１】
本発明は、液体加熱器具に関し、特に、水受け容器を形成する本体部と電気加熱底部と沸騰検出装置とを備える電気ポットに関する。
【背景技術】
【０００２】
特許文献１または特許文献２などにより、電気加熱底部の上に配設された本体部と、本体部の上部の沸騰時に放出される蒸気を蒸気検出センサの方へ運ぶための蒸気管路であって、本体部内面の本体部の給水最高水位よりも上に配設された流入口を有する蒸気管路とを備えるポットが知られている。
【０００３】
このようなポットでは、加熱時には、水および蒸気の上向流が発生し、沸騰に近づくにつれて自由水面に次第に大きな渦や飛散を生じるようになる。水の飛沫が流入口から蒸気管路に入り込み、蒸気検出センサを傷めることがないようにするため、水の自由水面の上に大きな空気体積が残るような給水最高水位とすることでポットの有効容積を制限する。空気体積はポットの全容積の４０％までを占める可能性がある。そうすることにより、蒸気管路の開口部から補給最高水位にある水の水面までの距離は、飛沫が蒸気管路に入らないようにするのに十分なものとなる。
【０００４】
そのため、所与の有効加熱容積を得るためにポットの容積全体は大きなものとなり、ユーザはその利用や片付けのための場所を見つけるのが難しいという状況に遭遇する可能性がある。さらに、ポットの梱包がかさばり、ポットを生産工場からユーザのもとに送り届けるためのコストもかさむ。
【先行技術文献】
【特許文献】
【０００５】
【特許文献１】欧州特許第０７８６２２１号明細書
【特許文献２】英国特許第２３３２０９５号明細書
【発明の概要】
【発明が解決しようとする課題】
【０００６】
本発明の目的の１つは、上述の不都合に対処して、全容積に対する有効容積の比率が最適化されたポットを提案することにある。
【０００７】
本発明のもう１つの目的は、設計が単純で経済的に実施することができるポットを提案することにある。
【課題を解決するための手段】
【０００８】
これらの目的は、電気加熱底部の上に配設された本体部と、沸騰時に放出される蒸気を蒸気検出センサの方に運ぶための蒸気管路であって、本体部の給水最高水位よりも上の本体部内面の上部に配設された流入口を有する蒸気管路とを備えるポットにおいて、ポットは、沸騰時に蒸気管路内に水が浸入するのを防ぐ保護装置であって、プラスチック材料で製作され、流入口の下に延びる隔壁を有する保護装置を備え、隔壁は、流入口の下の内面から内面と離隔しながら下方に延びる第１の部位であって、内面に接近しながら下方に延びて内面と合流する第２の部位をもって延伸する第１の部位を内面に対して横断方向の鉛直断面内に有しており、第２の部位は、鉛直方向に沿って上向する水および蒸気の流れに対して横断方向に延びて鉛直方向との間に８０°未満、好ましくは４５°未満の角度αを形成すること、および、本体部は流入口レベルに周囲Ｐの横断面を有しており、隔壁は周囲Ｐの少なくとも５％、好ましくは周囲Ｐの少なくとも１０％にわたって流入口の両側に延びることを特徴とするポットによって果たされる。
【０００９】
したがって、隔壁、特に第２の部位は、水および蒸気の上向流に対して横断方向に内面から水の中に傾斜した形で延びることで、沸騰時に水および蒸気の上向流を少なくとも部分的に偏向させ、流入口から遠ざける。周囲Ｐの少なくとも２０％にわたって開口部の両側に延びる隔壁は、流入口を、特にその両側端について内面に沿って保護する。
【００１０】
このような構成は沸騰時に蒸気管路の流入口周辺における水面の乱れを減らし、飛散の大きさを制限することができる。そのため、蒸気管路の開口部から補給最高水位にある水面までの距離は、蒸気管路内に水が入り込むリスクを冒すことなしに小さくすることができ、水の自由水面より上の空気体積を小さめにすることができる。その結果、ポットはよりコンパクトな（特に高さに関して）ものとすることができる。
【００１１】
補給最高水位とは、ポットの本体部にたとえば標線などによって実体化される最高水位をいう。
【００１２】
有利には、保護装置はプラスチック材料、とりわけポリプロピレン、アクリロニトリルブタジエンスチレンまたはポリカーボネートの射出によって製作される。
【００１３】
有利には、本体部は半径Ｒ、周囲Ｐの円形横断面を有しており、隔壁は２つの半径線分Ｒ１、Ｒ２によって形成される角度βの角領域に内接し、流入口は角領域βの中央付近に配設される。
【００１４】
沸騰時の蒸気管路への水の浸入を防ぐための隔壁付きの保護装置は円形横断面のポットでは特に有効である。
【００１５】
好ましくは、第２の部位は内面に対して横断方向の鉛直断面内を径方向に半径Ｒの５％超、好ましくは半径Ｒの１０％超の距離Ｄにわたって延びる。
【００１６】
有利には、隔壁は、内面に対して横断方向の鉛直断面内に高さＨを有しており、高さＨは本体部の高さの１５％超である。
【００１７】
本体部の高さとは、加熱底部の上を通る水平面から蓋の下を通る水平面までの高さをいう。
【００１８】
このような配置を取ることにより、ポットが補給最高水位まで満たされているとき、沸騰時の水および蒸気の上向流をポットの中心に偏向させるのに十分なところまで隔壁の一部が水に浸かるようにすることができ、それによって流入口を水の飛沫から守ることが可能となる。
【００１９】
好ましくは、隔壁は、内面に対して横断方向の鉛直断面内に流入口の両側で一定の断面積を有する。
【００２０】
そうして、隔壁は、水および蒸気の上向流内に規則的に延びて、水の水面の乱流を低減し、飛散の大きさを制限する均衡した対称形の区域を流入口および内面とは反対側に作り出す第２の部位を特に備える。
【００２１】
有利には、隔壁と内面は互いの間に、隔壁の２つの側端に位置する２つの開口などから水が入り込むことができる空間Ｖを画定する。
【００２２】
隔壁と内面の間の水は沸騰の影響をほとんど受けず、そのため、この水が流入口に向かって飛散することはない。
【００２３】
好ましくは、第１の部位と第２の部位は勾配の急変部を形成する接続ゾーンを備える。
【００２４】
そのため、流入口に対して鉛直直下の水および蒸気の上向流は傾斜した第２の部位と遭遇し、続いて勾配の急変部と遭遇する。そのため、沸騰が激しく、水および蒸気の上向流の速度が速いときは、その流れは流入口の反対前方に偏向される。
【００２５】
有利には、第２の部位は、本体部に実体化された補給最高水位よりも下の水平面に含まれる直線から下方に延びる。
【００２６】
それにより、水に浸された第２の部位は、沸騰が始まった時点から水および蒸気の上向流を偏向させる。
【００２７】
好ましくは、内面の上部は鉛直断面内に有利にはＵ字形の溝を有し、流入口はその溝の中に配設される。
【００２８】
この配置は、流入口を水の飛沫から保護する隔壁の補完的保護を得ることを可能にする。
【００２９】
有利には、保護装置は蒸気管路の先端部位を備え、蒸気管路は第１の部位に沿って延びている。
【００３０】
好ましくは、保護装置は内面に付加されたモジュールからなる。
【００３１】
そのため、保護装置はポットにおいて別個の部品を形成するものであり、従来型のポットに大きな変更を加えることなく、容易に適合することができる。
【００３２】
有利には、保護装置は、沸騰時に水および蒸気の上向流を偏向させるために隔壁以外の能動部材を持たない。
【００３３】
先端部位は沸騰時に水および蒸気の上向流を偏向させるものではないが、水の飛沫からの保護を行うと考えることができる。
【００３４】
そのため、保護装置はコンパクトかつ経済的に実現することができる。
【００３５】
有利には、ポットは、流入口と径方向反対側となるように配設された注ぎ口を備え、隔壁は沸騰時に水および蒸気の上向流を注ぎ口の方に偏向させる。
【００３６】
好ましくは、本体部は注ぎ口に向かう貫通開口部を備え、その貫通開口部は補給最高水位の水の水面より下に配設される。
【００３７】
そのため、補給最高水位では、開口内に水が存在することで注ぎ口から水の飛沫が出るのを妨げる。
【００３８】
本発明は、何ら限定的でないものとして取り上げ、添付の図面によって図解した実施形態を検証することによってよりよく理解されよう。
【図面の簡単な説明】
【００３９】
【図１】沸騰時に蒸気管路への水の浸入を防止する本発明の具体的な一実施形態による保護装置を備えるポットの斜視図である。
【図２】図１に示したポットの本体部なしの斜視図である。
【図３】図１に示したポットのＩＩＩ−ＩＩＩ断面図である。
【図４】図３に示したポットの詳細ＩＶ図である。
【発明を実施するための形態】
【００４０】
本明細書では、ポットについて説明するために用いる「水平」、「鉛直」、「下部」、「上部」、「高」、「低」の表現は、水平な作業面に置いた使用状態のポットに関するものであることに留意されたい。
【００４１】
図１から４に示された実施形態では、ポット１は、コード（図示せず）によって電源供給されるベース部２と、水の入れ物を形成する本体部３とを備える。本体部３は、蓋部（図示せず）によって閉ざされる補給用上部開口部４を備える。ポット１は、上部開口部４のレベルに位置する注ぎ口５と、上部開口部４に関して注ぎ口５と反対側に位置するハンドル６とを備える。本体部３は、半径Ｒのほぼ円筒形で、鉛直軸７を有する。蓋部は本体部３に対して取外し可能であり、蓋部は、本体部３の鉛直軸７とほぼ平行な平行移動動作によって本体部３に組み立てられるようになっている。
【００４２】
ベース部２はステンレス鋼製の皿部からなる加熱底部８を備えており、その下にアルミニウム製ディフューザと加熱要素が配置される。ポット１は、沸騰時に本体部３の上部から放出される蒸気をベース部２に配設された蒸気検出センサ（図示せず）の方へ運ぶための蒸気管路１０を備える。蒸気検出センサに蒸気が押し寄せると、加熱底部８に対する電源供給の切断がトリガされる。本体部３は、上部開口部４を画定する上部縁１２を備える。蒸気管路１０は本体部３の内面９に沿って鉛直に延び、流入口１１を備える。内面９は上部縁１２のレベルにＵ字形の溝１４を有する。流入口１１は溝１４内に配設される（図３および４）。
【００４３】
ポット１は、沸騰時に水が蒸気管路１０の流入口１１に浸入するのを防ぐ保護装置２０を備える。保護装置２０は、流入口１１の下に内面９から延びる隔壁２１を備え、隔壁２１は、第１の部位２２および第２の部位２３を有している。第１の部位２２は、流入口１１の下に内面９から本体部３の内側の方へ、内面９から離隔するように延びる。第１の部位２２から延伸した第２の部位２３は下方に延びて内面９と合流し、内面９によって支えられる。第２の部位２３は鉛直軸７沿いの鉛直方向の水および蒸気の上向流に対して横断方向に延びて、その鉛直方向との間に４５°の角度αを形成する。
【００４４】
本体部３は上部縁１２の下に半径Ｒ、周囲Ｐ（図２）の円形横断面を有し、隔壁は３０°の角度βの角領域に内接し、２つの半径線分Ｒ１、Ｒ２によって形成され、流入口は角領域βの中央付近に配設される。そのため、隔壁２１は流入口１１の両側に周囲Ｐの８％にわたって延びる。
【００４５】
図４を見ると解るように、第１の部位２２は、内面９に対して横断方向の鉛直断面内を傾斜した内面９に対してほぼ鉛直に延びる。第２の部位２３は直線的に延びて第１の部位２２と角度αをなす。そのため、第１の部位２２と第２の部位２３は勾配の急変部を形成する接続ゾーンを備える。
【００４６】
隔壁２１は厚さが一定であり、内面９に対向して延びる。隔壁２１と内面９は、隔壁２１の２つの側端２６、２７（図２）に位置する２つの開口などから水が入り込むことができる空間Ｖ（図４）を画定する。
【００４７】
保護装置２０は、ほぼ長方形の管状部３２が延びた円形管状部３１を備える管状の蒸気管路１０の上端部位３０を持つ。ほぼ長方形の管状部３２は溝１４内に配設される。流入口１１はほぼ長方形の管状部３２に設けられる。蒸気管路１０は、蒸気管路１０が密封係合された円形管状部３１から第１の部位２２に沿って延びる。
【００４８】
保護装置２０は、内面９に付加されたモジュールによって構成され、ポット１において、とりわけ本体部３に対して別個の部品を形成する。保護装置２０はプラスチック材料、とりわけポリプロピレン、アクリロニトリルブタジエンスチレンまたはポリカーボネートの射出によって製作される。保護装置２０は、隔壁２１の第１の部位２２に対して垂直に延びる２つの穴あき脚２８、２９によって形成される本体部３への取付け手段を備える。２つの穴あき脚２８、２９は、それらがねじ止めなどによって取り付けられた上部縁１２と協働する。
【００４９】
図１のとおり、注ぎ口５は流入口１１とは径方向反対側に配設される。本体部３は注ぎ口５に向かう貫通開口部１３を備え、その貫通開口部１３は、補給最高水位の水の水面より下になるように配設される。
【００５０】
使用時、大量の水を沸かそうとするユーザは、ポット１を補給最高水位まで満たし、ポット１を起動させる。加熱底部８は本体部３内に含まれる水の加熱を始め、沸騰に近づくにつれて、加熱底部８から水の自由水面に向けて水および蒸気の上向流が生まれる。保護装置２０に対して鉛直直下の水および蒸気の上向流は隔壁２１の第２の部位２３によって偏向される。沸騰が大きく、水および蒸気の流れの速度が高い場合には、第１の部位２２と第２の部位２３の間の接続ゾーン２５の勾配の急変部によって、その流れは前方に、流入口と反対の方へ偏向される。沸騰によって発生した蒸気は水の水位より上に集まり、次いで流入口１１から蒸気管路１０に入り込んで、蒸気検出センサに到達すると、蒸気検出センサが加熱底部８の停止をトリガする。保護装置２０は、蒸気管路１０の流入口１１の周辺における水の水面の乱流や飛沫を減らすことで、十分な蒸気を発生させて加熱底部８の停止をトリガするために必要な時間にわたって流入口１１内に水が入り込まないようにすることができる。このような保護装置２０では、自由水面よりも上の空気体積をポットの全体容積の２０％に減らすことができる。
【００５１】
本発明が、あくまでも例示のためにのみ取り上げて説明し、図示した実施形態だけにいささかも限定されるものでないことは言うまでもない。様々な要素の構成という観点からの変更や、同等の技術による置換による変更などは、それによって本発明の保護対象領域から逸脱することなくなお可能である。
【００５２】
変形実施形態として、第１の部位と第２の部位は、内面に対して横断方向の鉛直断面内に湾曲した形状を有することができる。この変形形態にあっても同様に、第１の部位２２と第２の部位２３は勾配の急変部を形成する接続ゾーンを備える。
【符号の説明】
【００５３】
１   ポット
２   ベース部
３   本体部
４   上部開口部
５   注ぎ口
６   ハンドル
７   鉛直軸
８   加熱底部
９   内面
１０   蒸気管路
１１   流入口
１２   上部縁
１３   貫通開口部
１４   溝
２０   保護装置
２１   隔壁
２２   第１の部位
２３   第２の部位
２５   接続ゾーン
２６，２７   側端
２８，２９   穴あき脚
３０   上端部位
３１   円形管状部
３２   管状部
【図１】
2018042995.tif 000003
【図２】
2018042995.tif 000004
【図３】
2018042995.tif 000005
【図４】
2018042995.tif 000006
【外国語明細書】
2018042995000001.pdf